(57)【特許請求の範囲】
【請求項１】
主燃焼室（１）の後壁（３）に開けた窓孔（４）内に支持板（１３）を、バーナー全体に対する上下及び左右への首振り機能のうち、少なくとも上下か左右の何れかへの首振り手段（１１）を介して設け、該支持板（１３）に主燃焼室（１）内に突入するバーナー（８）を固着してある火葬炉において、前記窓孔（４）の室外側に伸縮性のある耐熱性の遮音シート（２０）を、バーナー（８）を含めて窓孔（４）を封鎖した状態に設けると共に、該遮音シート（２０）と支持板（１３）間に耐熱性と弾性を有する消音材（２１）を充填し、
遮音シートの伸縮性は、バーナー全体の揺動に対処するための波状に撓む弛緩部（２４）によるものであり、
消音材の弾性はバーナーの揺動時に圧縮される消音材に対して復元の機能を持たせるためのものであって、
消音材は、耐熱性の袋内にロックウールあるいはセラミックウールを詰め込んだ多数個の単位袋（２５）からなることを特徴とする火葬炉の消音装置。
【請求項２】
遮音シート（２０）には、単位袋（２５）を出し入れする開き口を設け、開き口を耐熱性の締結具（２６）で開閉可能に設けてあることを特徴とする請求項１記載の火葬炉の消音装置。
【発明の詳細な説明】
【０００１】
【発明の属する技術分野】
本発明は、ガスあるいは液状燃料などを燃焼して火炎を噴射するバーナーを備えている火葬炉において、そのバーナーの燃焼時に発する騒音を炉外へ漏洩しないように防止する消音装置に関する。
【０００２】
【発明が解決しようする課題】
この種のバーナーは主燃焼室の後壁に開けた窓孔より突入してあり、しかも上下方向と左右方向への首振り手段、あるいは上下のみの首振り手段、または左右のみの首振り手段を備えるもので、以上のように首を振るために主燃焼室の後壁に開ける窓孔はバーナーの直径よりも大きく開けてあり、そのためバーナーの周囲に空間が空き騒音の漏れる原因があった。しかも火葬炉が１、２基であれば差程にも問題にならないが、十数基も列設してあると作業場の騒音が激しく、作業環境を著しく悪化している問題があった。本発明は以上の問題を解決することにある。
【０００４】
本発明の解決手段として、主燃焼室の後壁に開けた窓孔内に支持板を、バーナー全体に対する上下及び左右への首振り機能のうち、少なくとも上下か左右の何れかへの首振り手段を介して設け、該支持板に主燃焼室内に突入するバーナーを固着してある火葬炉において、前記窓孔の室外側に伸縮性のある耐熱性の遮音シートを、バーナーを含めて窓孔を封鎖した状態に設けると共に、遮音シートと支持板間に耐熱性で弾性を有する消音材を充填し、遮音シートの伸縮性は、バーナー全体の揺動に対処するための波状に撓む弛緩部によるものであり、消音材の弾性はバーナーの揺動時に圧縮される消音材に対して復元の機能を持たせるためのものであって、消音材は、耐熱性の袋内にロックウールあるいはセラミックウールを詰め込んだ多数個の単位袋からなることを特徴とする。さらに、遮音シートには、単位袋を出し入れする開き口を設け、開き口を耐熱性の締結具で開閉可能に設けてあることを特徴とする。
【０００５】
【作用】
以上のように、伸縮性のある遮音シートで窓孔を封じ、しかも遮音シートにバーナーを貫通してあるから、バーナーは上下あるいは左右へ支障なく揺動することができ、また窓孔を封鎖しているから、燃焼音の漏洩を確実に防止するものであり、殊に遮音シートに加えて消音材を充填したものであると、防音の効果が更に向上し、火葬場の作業環境を良好に保つようになる。
【０００６】
【発明の実施の形態】
本発明による実施形態には、火葬炉の後壁に開けた窓孔にバーナーを首振り手段を介して取り付けているが、その首振り手段に従来種々の形態があるが、それらの構造に応じた消音装置を取り付けるものである。
【０００７】
首振り手段として、窓孔とバーナーの外周面間に横軸を設けて、バーナーを上下のみへ振ることができる機能を持つもの、または縦軸によってバーナーを左右のみへ振るもの、あるいはバーナーを直接窓孔に自在接手を介して取り付け、上下と左右へ振ることができるものなどがあり、これら既設のバーナーに対して、耐熱性の遮音シートを、バーナーを含めしかも遮音シートに波打つような状態の弛緩部を設けて後壁に固着したものである。
尚、上記のバーナーを含めてとは、遮音シートの中心部にバーナーを貫通して窓孔を封鎖する場合と、バーナーの全体を包み込んで、バーナーへの燃料供給パイプ及び空気供給パイプを遮音シートに貫通する場合とがある。
【０００８】
他の首振り手段には、窓孔内に支持板を、前述と同様に上下左右、あるいは上下のみ、または左右のみへ揺動自在に設け、該支持板にバーナーを貫通して設けているものもあり、この支持板は窓孔内で揺動するものであるから、支持板の周縁と窓孔の内面間に隙間が開いている。この場合も前記実施形態と同様に遮音シートで封鎖し、更に加えて、遮音シートと支持板間に耐熱性と弾性を備える消音材を介在するものである。尚、上記の弾性はバーナーの揺動時に消音材が圧縮されるが、これに対して復元の機能を持たせるためのものである。
【０００９】
【実施例】
次ぎに実施例によって説明すると、図１に火葬炉を一部切欠して示しているように、１は主燃焼室、２は再燃焼室、３は後壁、４は窓孔を示し、主燃焼室１内に前側の防火扉５を開いて台車６を移送手段７によって挿入し、窓孔４内に設けたバーナー８からの火炎噴射によって火葬し、火葬中に発生する未燃焼ガスを煙道９を通じて再燃焼室２へ誘導し、該室２で同様に第２のバーナー１０によって再燃焼するものである。
【００１０】
上記主燃焼室１の後壁３に設けたバーナー８は上下及び左右へ揺動する首振り手段１１によって取り付けたもので、この首振り手段１１のうちの左右へ揺動する構造は、窓孔４の周縁に室外側へ向かって突出する角筒部１２を設け、角筒部１２内に隙間をもって支持板１３が嵌め込んであり、該支持板１３にバーナー８を貫通した状態に固着するもので、図３に示すように、角筒部１２の上面に縦軸１４を設け、この縦軸１４の角筒部１２内に突入する下部に横軸１５を一体に設け、前記支持板１３の上両側部にブラケット１６を突設し、両ブラケット１６に上記横軸１５を回転自在に嵌め込んでいるもので、また前記縦軸１４の上部より突出したアーム１７に横シリンダ１８を連結したものである。
【００１１】
従って横シリンダ１８を前進駆動することにより、縦軸１４が回転し横軸１５が水平に旋回するから、支持板１３が縦軸１４を中心にして左右に回転するものである。
【００１２】
一方首振り手段１１の上下に揺動する構造は、図１に示しているように、バーナー８の長手方向の中間部と後壁３の窓孔４より上部位置間に縦シリンダ１９を設けたもので、該縦シリンダ１９のバーナー側あるいは後壁側との連結は自在接手によって取り付けたものである。
【００１３】
上記縦シリンダ１９を駆動すれば、バーナー８を通じて支持板１３が横軸１５を中心にして上下方向へ揺動するものである。
【００１４】
尚、上記首振り手段１１はシリンダによって駆動するものであるが、これに限ることがなく、電動モータであっても良く、あるいは手動によって上下左右へ揺動する構造のものもある。
【００１５】
以上の如く取り付けたバーナー８に対する消音装置は、図２に拡大して示しているように、耐熱性の遮音シート２０をその中心部にバーナー８を貫通した状態で角筒部１２の開放口を封鎖するように設け、且つ遮音シート２０と支持板１３間の空間部に消音材２１を充填したものである。
【００１６】
上記遮音シート２０は、具体的にはセラミックファイバーを使用するが、このような耐熱のクロス２２の表面にゴムコーティング層２３を施したもので、角筒部１２の開放口の開口面積より２、３倍も広い面積を有する遮音シート２０を、その中心部にバーナー８を貫通し、その貫通した口部をバーナー８の外周面に接着乃至ピン止めなどの手段で密着し、遮音シート２０の周縁を角筒部１２の外周縁に同じく接着乃至ピン止めなどの手段で密着したもので、前述のように遮音シート２０は角筒部１２の開口面積よりも広いものであるから、バーナー８と角筒部１２の周縁間に波状に撓む弛緩部２４ができ、この弛緩部２４によって伸縮を可能とするもので、バーナー８の揺動に対処するものである。
【００１７】
上記消音材２１は、耐熱性の袋内にロックウールあるいはセラミックウールを詰め込んだもので、その単位袋２５を多数個、遮音シート２０と支持板１３間に殆ど隙間なく詰め込んだものである。以上のようにロックウールなどを袋詰めしたものは圧縮に対して復元力を備えるものであるから、バーナー８を揺動して圧縮されたものがバーナーの復動により元の状態に復元するものである。
【００１８】
尚、上記ロックウールを詰めた袋の復元力が減少すれば取り替える必要が生じるが、その取り替えが容易に行われるように、図４に示しているように、遮音シート２０の一部にあるいは数カ所に耐熱性のスライドファスナーあるいは金属製のボタンなどの締結具２６で開閉できる開き口を設けることが好ましい。
【００１９】
上記実施例では遮音シート２０と消音材２１との組み合わせによる場合のみ説明したが、遮音シート２０のみのものは、消音材２１を省いたもので、その他の構造は一緒である。
【００２０】
更に図５と図６に示す例は、遮音シート２０でバーナー８をも包み込んだもので、この場合にはバーナー８に供給する燃料パイプ２７及び空気パイプ２８を、遮音シート２０に貫通して設けるものである。尚、首振り手段１１の縦シリンダ１９は、空気パイプ２８と後壁３間に設ければ良い。
【００２１】
前述の実施例で説明した図１に示す火葬炉の場合は、煙道９を後壁３寄りに設けていることから、両バーナー８，１０を一緒に稼動している間、双方のバーナー８，１０の騒音をプラスした騒音ではなく、相乗的に大きな騒音となるものであるが、以上のように遮音シート２０と消音材２１とを合わせて設けることにより、外部へ漏れる騒音を大幅に減少することが実験によっても証明された。
【００２２】
【発明の効果】
本発明による火葬炉の消音装置によれば、バーナーが突入する窓孔を遮音シートで封鎖したものであるから、バーナーと窓孔間の隙間を封じ炉内での燃焼音の漏洩を遮断することができ、作業場の環境を甚だ良好に保つことができるようになる。
【００２３】
また遮音シートは波状に撓む弛緩部によって伸縮自在に設けているから、バーナーが上下及び左右へ揺動しても、これに確実に対応することができ、またその消音効果が増大される。
【００２４】
更に、遮音シートに加えて消音材を充填し、袋内にロックウール等を詰め込んだ多数個の単位袋によって消音材は弾性を有するものであるから、バーナーの揺動に対応して圧縮及び復元し、遮音シートと支持板間の空間を消音材で確実に密封しておくことができるようになる。
【図面の簡単な説明】
【図１】本発明による消音装置を設けた火葬炉を要部切欠して示す断面図である。
【図２】本発明による消音装置を拡大して示す断面図である。
【図３】後壁の窓孔内に設けた支持板の首振り手段を示す正面図である。
【図４】本発明による消音装置の正面図である。
【図５】本発明による消音装置の類例を示す断面図である。
【図６】本発明による消音装置の更に他の類例を示す断面図である。
【符号の説明】
１  主燃焼室
３  後壁
４  窓孔
８  バーナー
１１  首振り手段
１３  支持板
２０  遮音シート
２１  消音材
【図１】
0003909900.tif 000002
【図２】
0003909900.tif 000003
【図３】
0003909900.tif 000004
【図４】
0003909900.tif 000005
【図５】
0003909900.tif 000006
【図６】
0003909900.tif 000007